(57)【特許請求の範囲】
【請求項１】
ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、
該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、
略リング状に形成され中心部を挟んで反対側に外径が最大となる一対の突部を有すると共に上記可動部に取り付けられ一対の突部がそれぞれ上記マグネットの中央部に引き寄せられることにより可動部をフォーカシング方向及びトラッキング方向における中立位置に保持する磁性部材を設けた
ことを特徴とする対物レンズ駆動装置。
【請求項２】
支持軸の軸方向と直交しかつ各ヨークを結ぶ方向と直交する方向における上記マグネットの少なくとも一方の面を覆う磁性材料から成る覆い部を上記ヨークに設けた
ことを特徴とする請求項１に記載の対物レンズ駆動装置。
【請求項３】
可動部を挟んで支持ベースのベース部の反対側に位置されると共に可動部を覆う磁性材料から成るカバーを設け、
該カバーの対物レンズ側の端縁を可動部側に折り曲げて折曲部を設けた
ことを特徴とする請求項１に記載の対物レンズ駆動装置。
【請求項４】
ディスクテーブルに装着されたディスク状記録媒体を駆動モーターによって回転させると共に対物レンズ駆動装置の対物レンズを介して回転されるディスク状記録媒体の記録面にレーザー光を照射するディスクドライブ装置であって、
上記対物レンズ駆動装置は、
ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、
該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、
略リング状に形成され中心部を挟んで反対側に外径が最大となる一対の突部を有すると共に上記可動部に取り付けられ一対の突部がそれぞれ上記マグネットの中央部に引き寄せられることにより可動部をフォーカシング方向及びトラッキング方向における中立位置に保持する磁性部材を設けた
ことを特徴とするディスクドライブ装置。
【請求項５】
支持軸の軸方向と直交しかつ各ヨークを結ぶ方向と直交する方向における上記マグネットの少なくとも一方の面を覆う磁性材料から成る覆い部を上記ヨークに設けた
ことを特徴とする請求項４に記載のディスクドライブ装置。
【請求項６】
可動部を挟んで支持ベースのベース部の反対側に位置されると共に可動部を覆う磁性材料から成るカバーを設け、
該カバーの対物レンズ側の端縁を可動部側に折り曲げて折曲部を設けた
ことを特徴とする請求項４に記載のディスクドライブ装置。
【発明の詳細な説明】
【０００１】
【発明の属する技術分野】
本発明は対物レンズ駆動装置及びこれを備えたディスクドライブ装置に関する。詳しくは、可動部が支持軸に回動自在かつ摺動自在に支持された対物レンズ駆動装置及び該対物レンズ駆動装置を備えたディスクドライブ装置についての技術分野に関する。
【０００２】
【従来の技術】
光ディスク等のディスク状記録媒体に記録された信号の記録や再生を行うディスクドライブ装置があり、このようなディスクドライブ装置には、ディスク状記録媒体の半径方向へ移動され当該ディスク状記録媒体に対してレーザー光を照射する光学ピックアップが設けられている。
【０００３】
このような光学ピックアップには、対物レンズを有する対物レンズ駆動装置が設けられており、ディスク状記録媒体に対する記録時又は再生時に対物レンズ駆動装置によりフォーカシング調整及びトラッキング調整が行われ、対物レンズを介してディスク状記録媒体に照射されるレーザー光のスポットが記録トラックに集光される。
【０００４】
対物レンズ駆動装置にあっては、ディスク状記録媒体に対して支持軸にその軸回り方向に回動自在かつ軸方向に摺動自在に支持された可動部を動作させて、フォーカシング調整及びトラッキング調整を行う所謂軸摺動型の対物レンズ駆動装置がある。このような軸摺動型の対物レンズ駆動装置は、支持軸に対する可動部の重量バランスが良好であり、トラッキング方向における耐震性に優れ、また、支持軸に対して自重によりトラッキング方向に変位し難く、さらには、動作状態におけるスキューが小さいという長所を有している。
【０００５】
【発明が解決しようとする課題】
ところが、従来の軸摺動型の対物レンズ駆動装置にあっては、支持軸を挟んだ反対側に一対の内側ヨーク、一対のマグネット、一対の外側ヨークが配置されているため、構成要素が多く小型化が困難であり、製造コストも高くなってしまうという問題がある。
【０００６】
そこで、本発明対物レンズ駆動装置及びこれを備えたディスクドライブ装置は、上記した問題点を克服し、対物レンズ駆動装置の良好な特性を確保した上で小型化を図ることを課題とする。
【０００７】
【課題を解決するための手段】
本発明対物レンズ駆動装置は、上記した課題を解決するために、ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、略リング状に形成され中心部を挟んで反対側に外径が最大となる一対の突部を有すると共に可動部に取り付けられ一対の突部がそれぞれマグネットの中央部に引き寄せられることにより可動部をフォーカシング方向及びトラッキング方向における中立位置に保持する磁性部材を設けたものである。
【０００８】
また、本発明ディスクドライブ装置は、上記した課題を解決するために、対物レンズ駆動装置の構成要素として、ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、略リング状に形成され中心部を挟んで反対側に外径が最大となる一対の突部を有すると共に可動部に取り付けられ一対の突部がそれぞれマグネットの中央部に引き寄せられることにより可動部をフォーカシング方向及びトラッキング方向における中立位置に保持する磁性部材を設けたものである。
【０００９】
従って、本発明対物レンズ駆動装置及びこれを備えたディスクドライブ装置にあっては、支持軸とマグネットとの間にヨークが配置されない。
【００１０】
【発明の実施の形態】
以下に、本発明対物レンズ駆動装置及びこれを備えたディスクドライブ装置の実施の形態を添付図面に従って説明する。尚、以下に示した実施の形態は、本発明を直径が略６４ｍｍのディスク状記録媒体（光磁気ディスク）に対する再生を行うことのできるディスクドライブ装置及びこれに設けられた対物レンズ駆動装置に適用したものである。
【００１１】
ディスクドライブ装置１は、薄い箱状を為す外筐２内に所要の各部材及び各機構が配置されて成り、外筐２の前面には横長の矩形状を為す挿脱口２ａが形成されている（図１及び図２参照）。外筐２には挿脱口２ａを開閉するための扉３が支持されており（図１参照）、ディスクカートリッジ１００が外筐２内に挿入され、又は、外筐２から排出されるときに扉３が動作されて挿脱口２ａが開放される。
【００１２】
ディスクカートリッジ１００は、扁平なケース体１０１内に直径が略６４ｍｍのディスク状記録媒体１０２が回転可能に収納されて成る（図１参照）。
【００１３】
外筐２の所定の位置には、各種の機能を発揮するための操作釦４、４、・・・が配置されており（図１参照）、これらの各操作釦４、４、・・・を操作することにより、例えば、再生動作、動作の停止、音量の変更、ディスクカートリッジの外筐２からの排出（イジェクト）及び各種の編集機能等が実行されるようになっている。
【００１４】
外筐２内にはシャーシ５が配置されている（図２参照）。シャーシ５の略中央部の下面側には図示しない駆動モーター（スピンドルモーター）が配置され、該駆動モーターのモーター軸にディスクテーブル６が固定されている。
【００１５】
シャーシ５には配置孔５ａが形成され、ディスクテーブル６が配置孔５ａからシャーシ５の上方へ突出されている（図２参照）。
【００１６】
シャーシ５の下面側には、リードスクリュー７とガイド軸８、８とが平行な状態で配置されている（図２参照）。シャーシ５の配置孔５ａに対応する位置に、光学ピックアップ９がディスクテーブル６に装着されるディスク状記録媒体１０２の半径方向へ移動自在に支持されている。
【００１７】
光学ピックアップ９は移動ベース１０に所要の各部材が配置されて成る。光学ピックアップ９は、移動ベース１０の一端部がリードスクリュー７に螺合されると共に移動ベース１０の両端部がガイド軸８、８に摺動自在に支持され、リードスクリュー７の回転によりガイド軸８、８に案内されてディスク状記録媒体１０２の半径方向へ移動される。
【００１８】
対物レンズ駆動装置１１は、支持ベース１２と該支持ベース１２に支持された可動部１３とを備えている（図３乃至図７参照）。
【００１９】
支持ベース１２は、ベース部１４と該ベース部１４の両側縁からそれぞれ上方へ折り曲げられて形成されたヨーク１５、１５とベース部１４の略中央部から上方へ突出された支持軸１６とを有している。
【００２０】
ヨーク１５は主面部１５ａと該主面部１５ａの前後両側縁から内側に対向するように折り曲げて形成された覆い部１５ｂ、１５ｂとから成り、該覆い部１５ｂ、１５ｂの上側に連続して係合突部１５ｃ、１５ｃが設けられている。主面部１５ａ、１５ａの下端部には、その内面側にそれぞれ位置決め突部１５ｄ、１５ｄが設けられている。
【００２１】
ヨーク１５、１５の内面には、それぞれマグネット１７、１７が固定されている。マグネット１７、１７は、対向する側の面が同じ極とされ、支持軸１６側の面がともにＳ極とされている（図５参照）。尚、マグネット１７、１７の、各対向する側の面がともにＮ極であってもよい。
【００２２】
マグネット１７、１７は、それぞれヨーク１５、１５の内面に、例えば、接着により取り付けられる。マグネット１７、１７は支持ベース１２の位置決め突部１５ｄ、１５ｄによって上下方向における位置決めが為される。マグネット１７、１７は覆い部１５ｂ、１５ｂ、・・・によってヨーク１５、１５に取り付けられる面と直交する２つの各面が覆われる（図３参照）。
【００２３】
可動部１３はボビン１８に所要の各部材が取り付けられて成る。
【００２４】
ボビン１８は樹脂材料によって形成され、本体部１９と該本体部１９から前方へ突出されたレンズホルダー部２０とを有している。
【００２５】
本体部１９は上面部１９ａと該上面部１９ａの両側縁から下方へ突出された側面部１９ｂ、１９ｂと上面部１９ａの後縁から下方へ突出された後面部１９ｃとを有し、該後面部１９ｃの下縁から後方へ向けてバランサー取付部１９ｄが突出されている。上面部１９ａの略中央部には下方へ突出された円筒状を為す被支持筒部１９ｅが設けられている（図６及び図７参照）。
【００２６】
側面部１９ｂ、１９ｂの内面は、その前半部１９ｆ、１９ｆが前方へ行くに従って外方へ変位するように傾斜され、その分厚みが厚くされて前側リブ１９ｇ、１９ｇとして形成されている（図５参照）。また、側面部１９ｂ、１９ｂの内面は、その後半部１９ｈ、１９ｈが後方へ行くに従って外方へ変位するように傾斜され、その分厚みが厚くされて後側リブ１９ｉ、１９ｉとして形成されている（図５参照）。
【００２７】
レンズホルダー部２０には透過孔２０ａが形成され、周縁にレンズ保持突部２０ｂ、２０ｂ、２０ｂが設けられている。
【００２８】
ボビン１８のバランサー取付部１９ｄには丸軸状のバランサー２１が取り付けられている（図４及び図６参照）。
【００２９】
ボビン１８のレンズホルダー部２０には対物レンズ２２が保持突部２０ｂ、２０ｂ、２０ｂに周囲から押さえられた状態で保持されている。
【００３０】
ボビン１８の上面部１９ａの下面には、コイル体２３が取り付けられる（図４乃至図７参照）。コイル体２３は軸方向が上下となるように略角筒状に巻回されたフォーカシングコイル２４の両側部２４ａ、２４ａにそれぞれ２つずつのトラッキングコイル２５、２５、・・・が取り付けられて成る。フォーカシングコイル２４の側部２４ａ、２４ａは、その前側部分２４ｂ、２４ｂが後方へ行くに従って外方へ変位するように傾斜され、後側部分２４ｃ、２４ｃが前方へ行くに従って外方へ変位するように傾斜されている（図４及び図５参照）。
【００３１】
前側に位置するトラッキングコイル２５、２５はフォーカシングコイル２４の前側部分２４ｂ、２４ｂにそれぞれ取り付けられ、前端部がフォーカシングコイル２４の前端から前方へ突出した状態とされている。後側に位置するトラッキングコイル２５、２５は、フォーカシングコイル２４の後側部分２４ｃ、２４ｃにそれぞれ取り付けられ、後端部がフォーカシングコイル２４の後端から後方へ突出した状態とされている。上記のようにフォーカシングコイル２４の側部２４ａ、２４ａが傾斜されているため、トラッキングコイル２５、２５、・・・は、フォーカシングコイル２４の前側部分２４ｂ、２４ｂ又は後側部分２４ｃ、２４ｃに沿って傾斜した状態とされている。
【００３２】
ボビン１８の被支持筒部１９ｅには、線状の磁性金属材料によって形成された磁性部材２６が取り付けられている（図４乃至図７参照）。磁性部材２６は後方側が開口された略リング状を為し、中心部を挟んで左右両側に外径が最大となる一対の突部２６ａ、２６ａが形成されている。磁性部材２６は突部２６ａ、２６ａがフォーカシングコイル２４の前側部分２４ｂ、２４ｂと後側部分２４ｃ、２４ｃとの間に対応して位置するようにして被支持筒部１９ｅに取り付けられている（図５参照）。
【００３３】
可動部１３は支持軸１６が被支持筒部１９ｅに挿入されることにより、支持軸１６に、その軸方向に摺動自在かつ軸回り方向に回動自在に支持される（図３、図５、図６及び図７参照）。支持軸１６の軸方向がディスク状記録媒体１０２に対してフォーカシング調整が為されるフォーカシング方向であり、支持軸１６の軸回り方向がディスク状記録媒体１０２に対してトラッキング調整が為されるトラッキング方向である。
【００３４】
可動部１３が支持軸１６に支持された状態においては、マグネット１７、１７がボビン１８の側面部１９ｂ、１９ｂの直ぐ外側に対向して位置される（図７参照）。可動部１３が支持軸１６に支持された状態においては、フレキシブルプリント基板２７の一端部２７ａがボビン１８に取り付けられ、フレキシブルプリント基板２７の他端部２７ｂが支持ベース１２のベース部１４に取り付けられる（図６参照）。ボビン１８に取り付けられたフレキシブルプリント基板２７の一端部２７ａはフォーカシングコイル２４及びトラッキングコイル２５、２５、・・・に電気的に接続され、ベース部１４に取り付けられたフレキシブルプリント基板２７の他端部２７ｂは対物レンズ駆動装置１１を動作させるための図示しない駆動回路に接続される。
【００３５】
可動部１３が支持軸１６に支持された状態においては、フォーカシングコイル２４の前端から前方へ突出したトラッキングコイル２５、２５の部分２５ａ、２５ａがヨーク１５の前側に位置する覆い部１５ｂ、１５ｂに対応して位置され、フォーカシングコイル２４の後端から後方へ突出したトラッキングコイル２５、２５の部分２５ｂ、２５ｂがヨーク１５の後側に位置する覆い部１５ｂ、１５ｂに対応して位置される。
【００３６】
支持ベース１２には可動部１３を覆うカバー２８が取り付けられる。カバー２８は、その天板部２９と該天板部２９の左右両側縁から下方へ突出された側板部３０、３０とが磁性金属材料によって一体に形成され、天板部２９と側板部３０、３０との連続した部分に前後に離間して係合孔２８ａ、２８ａ、・・・が形成されている。天板部２９の前縁は下方へ折り曲げられた折曲部２９ａとして形成されている。
【００３７】
カバー２８は係合孔２８ａ、２８ａ、・・・に支持ベース１２に設けられた係合突部１５ｃ、１５ｃ、・・・がそれぞれ係合されることにより支持ベース１２に取り付けられる（図７参照）。
【００３８】
以下に、ディスクドライブ装置１の動作について説明する。
【００３９】
ディスクカートリッジ１００が外筐２の挿脱口２ａから挿入されディスク状記録媒体１０２がディスクテーブル６に装着されて操作釦（再生釦）４が操作されると、駆動モーターの駆動によるディスクテーブル６の回転に伴ってディスク状記録媒体１０２が回転される。ディスク状記録媒体１０２が回転されると、光学ピックアップ９の図示しない半導体レーザーからレーザー光が出射され対物レンズ２２を介してディスク状記録媒体１０２の信号記録面に照射される（図６参照）。
【００４０】
ディスク状記録媒体１０２の信号記録面に照射されたレーザー光は戻り光として光学ピックアップ９の図示しない光検出器に入射され、光電変換されて情報信号の再生が行われる。このとき、ディスク状記録媒体１０２の記録トラックにレーザー光のスポットが集光されるように、フォーカシングコイル２４に電流が供給されてフォーカシング調整が行われると共にトラッキングコイル２５、２５、・・・に電流が供給されてトラッキング調整が行われる。
【００４１】
フォーカシング調整時には、対物レンズ２２を介して照射されるレーザー光のスポットがディスク状記録媒体１０２の信号記録面に集光されるように、可動部１３が支持軸１６の軸方向へ動作される。トラッキング調整時には、対物レンズ２２を介して照射されるレーザー光のスポットがディスク状記録媒体１０２の信号記録面に集光されるように、可動部１３が支持軸１６の軸回り方向へ回動される。
【００４２】
対物レンズ駆動装置１１においては、マグネット１７、１７からヨーク１５、１５、ベース部１４、支持軸１６を経由して再びマグネット１７、１７に至るという磁路が構成され、このときフォーカシングコイル２４又はトラッキングコイル２５、２５、・・・に流れる電流の向きに応じて可動部１３が支持軸１６の軸方向又は軸回り方向へ動作される。
【００４３】
対物レンズ駆動装置１１においては、ヨーク１５、１５に覆い部１５ｂ、１５ｂ、・・・が設けられており、該覆い部１５ｂ、１５ｂ、・・・によってマグネット１７、１７の前端部又は後端部から発せられる磁束がマグネット１７、１７に戻る（図８に示すＡ参照）。従って、磁束漏れを抑制することができ、対物レンズ駆動装置１１の駆動効率の向上を図ることができる。
【００４４】
また、トラッキング調整時には、可動部１３が支持軸１６の軸回り方向へ回動されるが、トラッキングコイル２５、２５、・・・は、フォーカシングコイル２４の前側部分２４ｂ、２４ｂ又は後側部分２４ｃ、２４ｃに沿って傾斜した状態とされているため、回動された状態において前後に位置する一方のトラッキングコイル２５、２５がそれぞれマグネット１７、１７に対して平行な状態に近づく（図９及び図１０参照）。従って、磁束密度の高い部分に一方のトラッキングコイル２５、２５が置かれ、トラッキング方向における駆動効率が向上する。このときフォーカシングコイル２４の一方の前側部分２４ｂ及び一方の後側部分２４ｃもマグネット１７、１７に対して平行な状態に近づくため、フォーカス方向における駆動効率が向上する。
【００４５】
トラッキング調整時には、トラッキングコイル２５、２５、・・・に流れる電流のうち、マグネット１７、１７の中央部に対応する部分に上下に流れる電流と磁界との関係によって可動部１３がトラッキング方向へ回動され、トラッキングコイル２５、２５、・・・のフォーカシングコイル２４から突出された部分２５ａ、２５ａ、２５ｂ、２５ｂに上下に流れる電流によっては可動部１３が回動する方向とは逆方向の力が生じてしまう。
【００４６】
しかしながら、対物レンズ駆動装置１１にあっては、トラッキングコイル２５、２５、・・・の部分２５ａ、２５ａ、２５ｂ、２５ｂがヨーク１５の覆い部１５ｂ、１５ｂ、・・・に対応して位置されており、該覆い部１５ｂ、１５ｂ、・・・によって可動部１３が回動される方向への駆動力を発生するように磁束の向きが偏向される（図８に示すＢ参照）。従って、可動部１３の回動を補助する方向への駆動力が発生することになり、トラッキング方向における駆動効率の向上を図ることができる。
【００４７】
対物レンズ駆動装置１１においてフォーカシング調整又はトラッキング調整が行われると、上記したように可動部１３が支持軸１６に対して動作されるが、可動部１３には側面部１９ｂ、１９ｂに前側リブ１９ｇ、１９ｇと後側リブ１９ｉ、１９ｉとが設けられ、厚みが厚くされて剛性が高くされていることから、可動部１３の動作時において共振の発生を防止することができる。
【００４８】
図９及び図１０に、トラッキング方向における可動部１３の動作を示す。
【００４９】
図９はトラッキング調整が行われ、可動部１３がＴ１方向へ動作された状態を示している。トラッキングコイル２５、２５、・・・に可動部１３がＴ１方向へ移動する向きの電流が供給されているため、可動部１３は中立位置からＴ１方向へ移動されているが、可動部１３には磁性部材２６の突部２６ａ、２６ａがマグネット１７、１７から発生される磁束の中心部に引き寄せられるＴ２方向への力が生じている。従って、可動部１３がＴ１方向へ移動する向きのトラッキングコイル２５、２５、・・・への電流の供給が停止されると、可動部１３はＴ２方向へ回動されて中立位置に戻る（図５参照）。
【００５０】
図１０はトラッキング調整が行われ、可動部１３がＴ２方向へ動作された状態を示している。トラッキングコイル２５、２５、・・・に可動部１３がＴ２方向へ移動する向きの電流が供給されているため、可動部１３は中立位置からＴ２方向へ移動されているが、可動部１３には磁性部材２６の突部２６ａ、２６ａがマグネット１７、１７から発生される磁束の中心部に引き寄せられるＴ１方向への力が生じている。従って、可動部１３がＴ２方向へ移動する向きのトラッキングコイル２５、２５、・・・への電流の供給が停止されると、可動部１３はＴ１方向へ回動されて中立位置に戻る（図５参照）。
【００５１】
図１１及び図１２に、フォーカシング方向における可動部１３の動作を示す。
【００５２】
図１１は、フォーカシング調整が行われ、可動部１３がＦ１方向へ移動された状態を示している。フォーカシングコイル２４に可動部１３がＦ１方向へ移動する向きの電流が供給されているため、可動部１３は中立位置からＦ１方向へ移動されているが、可動部１３には磁性部材２６の突部２６ａ、２６ａがマグネット１７、１７から発生される磁束の中心部に引き寄せられるＦ２方向への力が生じている。従って、可動部１３がＦ１方向へ移動する向きのフォーカシングコイル２４への電流の供給が停止されると、可動部１３はＦ２方向へ移動されて中立位置に戻る（図７参照）。
【００５３】
図１２は、フォーカシング調整が行われ、可動部１３がＦ２方向へ移動された状態を示している。フォーカシングコイル２４に可動部１３がＦ２方向へ移動する向きの電流が供給されているため、可動部１３は中立位置からＦ２方向へ移動されているが、可動部１３には磁性部材２６の突部２６ａ、２６ａがマグネット１７、１７から発生される磁束の中心部に引き寄せられるＦ１方向への力が生じている。従って、可動部１３がＦ２方向へ移動する向きのフォーカシングコイル２４への電流の供給が停止されると、可動部１３はＦ１方向へ移動されて中立位置に戻る（図７参照）。
【００５４】
上記したように、可動部１３が中立位置からフォーカシング方向又はトラッキング方向に移動された場合の何れの場合にも、可動部１３がボビン１８の被支持筒部１９ｅに取り付けられた磁性部材２６によって中立位置へ向けての移動力が生じ、必要最小限の部材によって、可動部１３がフォーカシング方向及びトラッキング方向における中立位置に適正に保持される。
【００５５】
また、線状の磁性部材２６を所定の形状に形成してボビン１８に取り付けるだけで可動部１３の中立位置への保持を適正かつ確実に行うことができるため、部品点数の削減及び作業能率の向上による製造コストの低減を図ることができる。
【００５６】
以上に記載した通り、ディスクドライブ装置１にあっては、対物レンズ駆動装置１１の磁気回路の構成要素としてマグネット１７、１７の内側にヨークを必要としないため、その分、小型化を図ることができると共に良好な感度を確保することができる。
【００５７】
図１３は、対物レンズ駆動装置１１と従来の対物レンズ駆動装置について、フォーカス加速度感度及びトラッキング加速度感度を測定した実験結果を示すものである。実験は、対物レンズ駆動装置１１と従来の３種類のタイプの対物レンズ駆動装置を対象としており、従来の対物レンズ駆動装置は対物レンズ駆動装置１１と同様の軸摺動タイプ、可動部が固定部に対してワイヤーで支持されているタイプ及び可動部が固定部に対して板バネで支持されているタイプの３つのタイプである。フォーカス加速度感度及びトラッキング加速度感度は、単位ボルト（Ｖ）あたりの加速度（Ｇ）で示されており、値が大きい程、耐えうる力が大きく感度が良好と言える。
【００５８】
図１３に示すように、対物レンズ駆動装置１１にあっては、感度が良好であり、かつ、フォーカスとトラッキングの感度のバランスが良好であるという結果が得られた。
【００５９】
上記には、トラッキングコイル２５、２５、・・・を、フォーカシングコイル２４の両側部２４ａ、２４ａにそれぞれ２つずつ取り付けた対物レンズ駆動装置１１を示したが、トラッキングコイルを両側部２４ａ、２４ａにそれぞれ１つずつ設けてもよい。この場合には、良好な感度を保持し適正な動作を確保するために、図１４及び図１５に示すように、フォーカシングコイル２４の中心に対して対象な位置にトラッキングコイル２５、２５を配置する必要がある。
【００６０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６１】
【発明の効果】
以上に記載したところから明らかなように、本発明対物レンズ駆動装置は、ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、略リング状に形成され中心部を挟んで反対側に外径が最大となる一対の突部を有すると共に可動部に取り付けられ一対の突部がそれぞれマグネットの中央部に引き寄せられることにより可動部をフォーカシング方向及びトラッキング方向における中立位置に保持する磁性部材を設けたことを特徴とする。
【００６２】
従って、対物レンズ駆動装置の磁気回路の構成要素としてマグネットの内側にヨークを必要としないため、その分、小型化を図ることができると共に良好な感度を確保することができる。
【００６３】
そして、可動部が中立位置からフォーカシング方向又はトラッキング方向に移動された場合の何れの場合にも、磁性部材によって中立位置へ向けての移動力が生じ、必要最小限の部材によって、可動部がフォーカシング方向及びトラッキング方向における中立位置に適正に保持される。
【００６４】
また、略リング状の磁性部材を所定の形状に形成して可動部に取り付けるだけで可動部の中立位置への保持を適正かつ確実に行うことができるため、部品点数の削減及び作業能率の向上による製造コストの低減を図ることができる。
【００６５】
請求項２に記載した発明にあっては、支持軸の軸方向と直交しかつ各ヨークを結ぶ方向と直交する方向における上記マグネットの少なくとも一方の面を覆う磁性材料から成る覆い部を上記ヨークに設けたので、該覆い部によってマグネットの端部から発せられる磁束がマグネットに戻るため、磁束漏れを抑制することができ、対物レンズ駆動装置の駆動効率の向上を図ることができる。
【００６６】
請求項３に記載した発明にあっては、可動部を挟んで支持ベースのベース部の反対側に位置されると共に可動部を覆う磁性材料から成るカバーを設け、該カバーの対物レンズ側の端縁を可動部側に折り曲げて折曲部を設けたので、ディスク状記録媒体の記録面側に向かった漏れ磁束が折曲部から取り込まれ、漏れ磁束の再生動作及び記録動作に対する影響を回避できるため、再生動作又は記録動作の適正化を図ることができる。
【００６７】
また、本発明ディスクドライブ装置は、ディスクテーブルに装着されたディスク状記録媒体を駆動モーターによって回転させると共に対物レンズ駆動装置の対物レンズを介して回転されるディスク状記録媒体の記録面にレーザー光を照射するディスクドライブ装置であって、上記対物レンズ駆動装置は、ベース部と該ベース部から突出された支持軸とベース部の両側縁からそれぞれ支持軸と同じ方向へ突出され該支持軸を挟んで反対側に対向して位置する一対のヨークとから成ると共に該ヨークの各対向面にそれぞれ対向する側の面が同じ極とされたマグネットが取り付けられる磁性材料から成る支持ベースと、該支持ベースの支持軸に軸回り方向へ回動自在かつ軸方向へ摺動自在に支持されると共に光軸が支持軸の軸方向と略一致された対物レンズを保持し該対物レンズを介してディスク状記録媒体に照射されるレーザー光のフォーカシング調整時に駆動電流が供給されるフォーカシングコイル及びレーザー光のトラッキング調整時に駆動電流が供給される少なくとも一対のトラッキングコイルを有する可動部とを備え、略リング状に形成され中心部を挟んで反対側に外径が最大となる一対の突部を有すると共に可動部に取り付けられ一対の突部がそれぞれマグネットの中央部に引き寄せられることにより可動部をフォーカシング方向及びトラッキング方向における中立位置に保持する磁性部材を設けたことを特徴とする。
【００６８】
従って、ディスクドライブ装置に設けられた対物レンズ駆動装置の磁気回路の構成要素としてマグネットの内側にヨークを必要としないため、その分、対物レンズ駆動装置の小型化によるディスクドライブ装置の小型化を図ることができると共に対物レンズ駆動装置の良好な感度を確保しディスクドライブ装置の動作の信頼性を向上することができる。
【００６９】
そして、可動部が中立位置からフォーカシング方向又はトラッキング方向に移動された場合の何れの場合にも、磁性部材によって中立位置へ向けての移動力が生じ、必要最小限の部材によって、可動部がフォーカシング方向及びトラッキング方向における中立位置に適正に保持される。
【００７０】
また、略リング状の磁性部材を所定の形状に形成して可動部に取り付けるだけで可動部の中立位置への保持を適正かつ確実に行うことができるため、部品点数の削減及び作業能率の向上による製造コストの低減を図ることができる。
【００７１】
請求項５に記載した発明にあっては、支持軸の軸方向と直交しかつ各ヨークを結ぶ方向と直交する方向における上記マグネットの少なくとも一方の面を覆う磁性材料から成る覆い部を上記ヨークに設けたので、該覆い部によってマグネットの端部から発せられる磁束がマグネットに戻るため、磁束漏れを抑制することができ、対物レンズ駆動装置の駆動効率の向上を図ることができる。
【００７２】
請求項６に記載した発明にあっては、可動部を挟んで支持ベースのベース部の反対側に位置されると共に可動部を覆う磁性材料から成るカバーを設け、該カバーの対物レンズ側の端縁を可動部側に折り曲げて折曲部を設けたので、ディスク状記録媒体の記録面側に向かった漏れ磁束が折曲部から取り込まれ、漏れ磁束の再生動作及び記録動作に対する影響を回避できるため、再生動作又は記録動作の適正化を図ることができる。
【図面の簡単な説明】
【図１】図２乃至図１５と共に本発明の実施の形態を示すものであり、本図はディスクカートリッジとともに示すディスクドライブ装置の概略斜視図である。
【図２】ディスクドライブ装置の内部構成を示す概略斜視図である。
【図３】カバーを分離して示す対物レンズ駆動装置の拡大斜視図である。
【図４】対物レンズ駆動装置の拡大分解斜視図である。
【図５】カバーを取り外した状態で示す対物レンズ駆動装置の拡大平面図である。
【図６】カバーを取り付けた状態で示す図５のＶＩ―ＶＩ線に沿う断面図である。
【図７】カバーを取り付けた状態で示す図５のＶＩＩ―ＶＩＩ線に沿う断面図である。
【図８】磁束分布を示す概念図である。
【図９】図１０と共に可動部のトラッキング方向における動作を示すものであり、本図は可動部がＴ１方向へ回動された状態を示す拡大平面図である。
【図１０】可動部がＴ２方向へ回動された状態を示す拡大平面図である。
【図１１】図１２と共に可動部のフォーカシング方向における動作を示すものであり、本図は可動部がＦ１方向へ移動された状態を示す拡大断面図である。
【図１２】可動部がＦ２方向へ移動された状態を示す拡大断面図である。
【図１３】加速度感度を測定した実験結果を示す図である。
【図１４】対物レンズ駆動装置の変形例を示す概念図である。
【図１５】対物レンズ駆動装置の別の変形例を示す概念図である。
【符号の説明】
１…ディスクドライブ装置、６…ディスクテーブル、１１…対物レンズ駆動装置、１２…支持ベース、１３…可動部、１４…ベース部、１５…ヨーク、１５ｂ…覆い部、１６…支持軸、１７…マグネット、２２…対物レンズ、２４…フォーカシングコイル、２５…トラッキングコイル、２６…磁性部材、２６ａ…突部、２８…カバー、２９ａ…折曲部、１０２…ディスク状記録媒体
【図１】
0004395694.tif 000002
【図２】
0004395694.tif 000003
【図３】
0004395694.tif 000004
【図４】
0004395694.tif 000005
【図５】
0004395694.tif 000006
【図６】
0004395694.tif 000007
【図７】
0004395694.tif 000008
【図８】
0004395694.tif 000009
【図９】
0004395694.tif 000010
【図１０】
0004395694.tif 000011
【図１１】
0004395694.tif 000012
【図１２】
0004395694.tif 000013
【図１３】
0004395694.tif 000014
【図１４】
0004395694.tif 000015
【図１５】
0004395694.tif 000016